(57)【要約】  本出願の実施形態は、パスワード保護質問を設定する方法及び装置を提供する。方法は、パスワードについてのパスワード保護質問設定要求を受信することであって、設定要求がユーザ識別子を含む、受信することと、ユーザ識別子に対応する１つまたは複数の設定情報を抽出することと、１つまたは複数の設定情報に合致する１つまたは複数のパスワード保護質問を個々に取得することと、１つまたは複数のパスワード保護質問を出力することと、を含む。本出願の実施形態は、ユーザがパスワード保護質問を設定するとき、ユーザの嗜好または関心に関連するパスワード保護質問を出力することができる。それが、パスワード保護質問についてのユーザの印象を強固にし、それによって、設定したパスワード保護質問及びその回答をユーザが忘れるという状況が減少し、パスワード保護質問の実用性が改善される。
2017534964.tif 000002
【特許請求の範囲】
【請求項１】
パスワードについてのパスワード保護質問設定要求を受信することであって、前記設定要求がユーザ識別子を含む、前記受信することと、
前記ユーザ識別子に対応する１つまたは複数の設定情報を抽出することと、
前記１つまたは複数の設定情報に合致する１つまたは複数のパスワード保護質問を個々に取得することと、
前記１つまたは複数のパスワード保護質問を出力することと、を含む、パスワード保護質問設定方法。
【請求項２】
前記設定情報は、嗜好情報を含み、前記設定情報は、
前記ユーザ識別子に対応する行動情報を取得することと、
前記行動情報から前記嗜好情報を学習することと、によって取得される、請求項１に記載の方法。
【請求項３】
前記ユーザ識別子に対応する前記１つまたは複数の設定情報を抽出することは、
前記ユーザ識別子に対応する１つまたは複数の予め設定された設定情報を、予め設定されたデータベースから抽出することを含む、請求項１に記載の方法。
【請求項４】
前記１つまたは複数の設定情報に合致する前記１つまたは複数のパスワード保護質問を個々に取得することは、
前記１つまたは複数の設定情報を含む１つまたは複数のパスワード保護質問を求めて、予め設定された質問バンクを検索することを含む、請求項１、２、または３に記載の方法。
【請求項５】
前記１つまたは複数の設定情報に合致する前記１つまたは複数のパスワード保護質問を個々に取得することは、
それぞれの意味論上の意味が前記１つまたは複数の設定情報に一致している、１つまたは複数のパスワード保護質問を求めて、予め設定された質問バンクを検索することであって、各保護質問が、対応するカテゴリ情報を有する、前記検索することと、
前記１つまたは複数の設定情報が前記カテゴリ情報に合致するかどうかを、個別に判断することと、合致する場合に、前記パスワード保護質問を抽出することと、を含む、請求項１、２、または３に記載の方法。
【請求項６】
前記１つまたは複数の設定情報に合致する前記１つまたは複数のパスワード保護質問を個々に取得することは、
前記１つまたは複数の設定情報を使用して、前記１つまたは複数のパスワード保護質問を生成することを含む、請求項１、２、または３に記載の方法。
【請求項７】
前記１つまたは複数のパスワード保護質問に対する１つまたは複数の第１の回答を受信することと、
前記１つまたは複数のパスワード保護質問と前記１つまたは複数の第１の回答との間に、それぞれ関連関係を確立することと、をさらに含む、請求項１、２、または３に記載の方法。
【請求項８】
前記パスワードについての修正要求を受信したことに応答して、前記パスワードに対応する前記１つまたは複数のパスワード保護質問を出力することと、
前記１つまたは複数のパスワード保護質問に対する１つまたは複数の第２の回答を受信することと、
前記１つまたは複数の第２の回答が、前記１つまたは複数のパスワード保護質問に関連付けられた前記１つまたは複数の第１の回答に一致していることに応答して、前記パスワードを修正する許可を設定することと、をさらに含む、請求項７に記載の方法。
【請求項９】
パスワードについてのパスワード保護質問設定要求を受信するように構成される設定要求受信モジュールであって、前記設定要求がユーザ識別子を含む、前記設定要求受信モジュールと、
前記ユーザ識別子に対応する１つまたは複数の設定情報を抽出するように構成される、設定情報抽出モジュールと、
前記１つまたは複数の設定情報に合致する１つまたは複数のパスワード保護質問を個々に取得するように構成される、パスワード保護質問取得モジュールと、
前記１つまたは複数のパスワード保護質問を出力するように構成される、第１のパスワード保護質問出力モジュールと、を備えるパスワード保護質問設定装置。
【請求項１０】
前記設定情報は、嗜好情報を含み、前記設定情報は、
前記ユーザ識別子に対応する行動情報を取得することと、
前記行動情報から前記嗜好情報を学習することと、によって取得される、請求項９に記載の装置。
【請求項１１】
前記設定情報抽出モジュールは、
前記ユーザ識別子に対応する１つまたは複数の予め設定された設定情報を、予め設定されたデータベースから抽出するように構成される、データベース抽出サブモジュールを含む、請求項９に記載の装置。
【請求項１２】
前記パスワード保護質問取得モジュールは、
前記１つまたは複数の設定情報を含む１つまたは複数のパスワード保護質問を求めて、予め設定された質問バンクを検索するように構成される、第１の検索サブモジュールを含む、請求項９、１０、または１１に記載の装置。
【請求項１３】
前記パスワード保護質問取得モジュールは、
それぞれの意味論上の意味が前記１つまたは複数の設定情報に一致している、１つまたは複数のパスワード保護質問を求めて、予め設定された質問バンクを検索するように構成される、第２の検索サブモジュールであって、各保護質問が、対応するカテゴリ情報を有する、前記第２の検索サブモジュールと、
前記１つまたは複数の設定情報が、前記カテゴリ情報に合致するかどうかを個別に判断し、合致する場合に、パスワード保護質問抽出サブモジュールを呼び出すように構成される、合致判断サブモジュールと、
前記パスワード保護質問を抽出するように構成される、前記パスワード保護質問抽出サブモジュールと、を含む、請求項９、１０、または１１に記載の装置。
【請求項１４】
前記パスワード保護質問取得モジュールは、
前記１つまたは複数の設定情報を使用して、１つまたは複数のパスワード保護質問を生成するように構成される、パスワード保護質問生成サブモジュールを含む、請求項９、１０、または１１に記載の装置。
【請求項１５】
前記１つまたは複数のパスワード保護質問に対する１つまたは複数の第１の回答を受信するように構成される、第１の回答受信モジュールと、
前記１つまたは複数のパスワード保護質問と前記１つまたは複数の第１の回答との間にそれぞれ関連関係を確立するように構成される、関連関係確立モジュールと、をさらに備える、請求項９、１０、または１１に記載の装置。
【請求項１６】
受信された前記パスワードについての修正要求を受信することに応答して、前記パスワードに対応する前記１つまたは複数のパスワード保護質問を出力するように構成される、第２のパスワード保護質問出力モジュールと、
前記１つまたは複数のパスワード保護質問に対する１つまたは複数の第２の回答を受信するように構成される、第２の回答受信モジュールと、
前記１つまたは複数の第２の回答が、前記１つまたは複数のパスワード保護質問に関連付けられた前記１つまたは複数の第１の回答に一致していることに応答して、前記パスワードを修正する許可を設定するように構成される、許可設定モジュールと、をさらに備える、請求項１５に記載の装置。
【発明の詳細な説明】
【技術分野】
【０００１】
本出願は、セキュリティ技術の分野に関し、特に、パスワード保護質問を設定する方法及び装置に関する。
【背景技術】
【０００２】
インターネットの発展とともに、異なるサービス機能を有するプラットフォームの数が増加している。例えば、プラットフォームは、ポータルウェブサイト、インスタントメッセージツールなどを提供することができる。これらのプラットフォームは、人々に生活や仕事において利便性を提供している。
【０００３】
概して、ユーザは、プラットフォームにアカウントを登録することができ、アカウントのセキュリティを確保するために、対応するパスワードを設定することができる。ユーザは、アカウント及びパスワードを使用して、プラットフォームによって提供されるサービスを受けてもよい。例えば、ユーザは、アカウント及びパスワードを使用してインスタントメッセージツールにログインし、別のユーザとインスタントメッセージをやりとりすることができる。
【０００４】
パスワードの設定後、ユーザがパスワードを忘れたり、パスワードが盗まれたりするという状況が容易に発生することがあり、その結果、アカウントはもはや使用できなくなる。さらに、アカウント内のユーザ情報が、大量の記憶リソースを占有していることもある。したがって、ユーザパスワードの喪失によって生じるユーザ離れ及びリソース占有を減少させるために、プラットフォームは、パスワード保護質問を通じて、ユーザのアイデンティティに対するセキュリティ認証を行ってもよい。
【０００５】
ユーザがパスワードを修正する必要があるとき、プラットフォームは、パスワード保護質問に答えることをユーザに要求する。答えが正しいとき、ユーザはパスワードをリセットすることができる。
【０００６】
現在、パスワード保護質問について、プラットフォームは概して、ランダムに選択するいくつかのパスワード保護質問をユーザに提供し、ユーザは、パスワード保護質問に対応する答えを設定する。
【０００７】
パスワード保護質問は、設定後ユーザによって使用される頻度が低いため、ユーザは、それによって設定したそれぞれの答えを容易に忘れてしまう。必要な時に、ユーザは、パスワード保護質問に正しく答えられないことがあり、その結果、パスワードを読み出すことができない。
【０００８】
したがって、当業者が緊急に解決すべき技術的な問題は、パスワード保護質問の実用性を改善し、無駄なユーザ情報による記憶リソースの占有を減少させるための、パスワード保護質問を設定するメカニズムを提供する方法である。
【発明の概要】
【０００９】
本出願の実施形態によって解決されるべき技術的な問題は、パスワード保護質問の実用性を改善し、無駄なユーザ情報による記憶リソースの占有を減少させるための、パスワード保護質問を設定する方法を提供することである。
【００１０】
これに対応して、本出願の実施形態は、パスワード保護質問の実用性を改善し、無駄なユーザ情報による記憶リソースの占有を減少させるための、パスワード保護質問を設定する装置をさらに提供する。
【００１１】
上記問題を解決するために、本出願の実施形態は、パスワードについてのパスワード保護質問設定要求を受信することであって、設定要求がユーザ識別子を含む、受信することと、ユーザ識別子に対応する１つまたは複数の設定情報を抽出することと、１つまたは複数の設定情報に個別に合致する１つまたは複数のパスワード保護質問を取得することと、１つまたは複数のパスワード保護質問を出力することと、を含む、パスワード保護質問を設定する方法を開示する。
【００１２】
好ましくは、設定情報は、嗜好情報を含み、設定情報は、ユーザ識別子に対応する行動情報を取得することと、行動情報から嗜好情報を学習することと、によって取得される。
【００１３】
好ましくは、ユーザ識別子に対応する１つまたは複数の設定情報を抽出することは、ユーザ識別子に対応する１つまたは複数の予め設定された設定情報を、予め設定されたデータベースから抽出することを含む。
【００１４】
好ましくは、１つまたは複数の設定情報に個別に合致する１つまたは複数のパスワード保護質問を取得することは、１つまたは複数の設定情報を含む１つまたは複数のパスワード保護質問を求めて、予め設定された質問バンクを検索することを含む。
【００１５】
好ましくは、１つまたは複数の設定情報に個別に合致する１つまたは複数のパスワード保護質問を取得することは、１つまたは複数の設定情報と同一の意味論上の意味を有する１つまたは複数のパスワード保護質問を求めて、予め設定された質問バンクを検索することであって、各保護質問が対応するカテゴリ情報を有する、検索することと、１つまたは複数の設定情報がカテゴリ情報に合致するかどうかを、個々に判断することと、合致する場合に、パスワード保護質問を抽出することと、をそれぞれ含む。
【００１６】
好ましくは、１つまたは複数の設定情報に個別に合致する１つまたは複数のパスワード保護質問を取得することは、１つまたは複数の設定情報を使用して、１つまたは複数のパスワード保護質問を生成することを含む。
【００１７】
好ましくは、方法は、１つまたは複数のパスワード保護質問に対する１つまたは複数の第１の回答を受信することと、１つまたは複数のパスワード保護質問と１つまたは複数の第１の回答との間に、関連関係を個々に確立することと、をさらに含む。
【００１８】
好ましくは、方法は、パスワードについての修正要求を受信したことに応答して、パスワードに対応する１つまたは複数のパスワード保護質問を出力することと、１つまたは複数のパスワード保護質問に対する１つまたは複数の第２の回答を受信することと、１つまたは複数の第２の回答が、１つまたは複数のパスワード保護質問に関連付けられた１つまたは複数の第１の回答に一致しているときに、パスワードを修正する許可を設定することと、をさらに含む。
【００１９】
上述した問題を解決するために、本出願の実施形態は、パスワードについてのパスワード保護質問設定要求を受信するように構成される設定要求受信モジュールであって、設定要求がユーザ識別子を含む、設定要求受信モジュールと、ユーザ識別子に対応する１つまたは複数の設定情報を抽出するように構成される、設定情報抽出モジュールと、１つまたは複数の設定情報に個別に合致する１つまたは複数のパスワード保護質問を取得するように構成される、パスワード保護質問取得モジュールと、１つまたは複数のパスワード保護質問を出力するように構成される、第１のパスワード保護質問出力モジュールと、を含む、パスワード保護質問を設定する装置をさらに開示する。
【００２０】
好ましくは、設定情報は、嗜好情報を含み、設定情報は、ユーザ識別子に対応する行動情報を取得することと、行動情報から嗜好情報を学習することと、によって取得される。
【００２１】
好ましくは、設定情報抽出モジュールは、ユーザ識別子に対応する１つまたは複数の予め設定された設定情報を、予め設定されたデータベースから抽出するように構成される、データベース抽出サブモジュールを含む。
【００２２】
好ましくは、パスワード保護質問取得モジュールは、１つまたは複数の設定情報を含む１つまたは複数のパスワード保護質問を求めて、予め設定された質問バンクを検索するように構成される、第１の検索サブモジュールを含む。
【００２３】
好ましくは、パスワード保護質問取得モジュールは、１つまたは複数の設定情報に一致する意味論上の意味を有する１つまたは複数のパスワード保護質問を求めて、予め設定された質問バンクを検索するように構成される、第２の検索サブモジュールであって、各保護質問が対応するカテゴリ情報を有する、第２の検索サブモジュールと、１つまたは複数の設定情報が、カテゴリ情報に合致するかどうかを個別に判断し、合致する場合に、パスワード保護質問抽出サブモジュールを呼び出すように構成される、合致判断サブモジュールと、パスワード保護質問を抽出するように構成される、パスワード保護質問抽出サブモジュールと、を含む。
【００２４】
好ましくは、パスワード保護質問取得モジュールは、１つまたは複数の設定情報を使用して、１つまたは複数のパスワード保護質問を生成するように構成される、パスワード保護質問生成サブモジュールを含む。
【００２５】
好ましくは、装置は、１つまたは複数のパスワード保護質問に対する１つまたは複数の第１の回答を受信するように構成される、第１の回答受信モジュールと、１つまたは複数のパスワード保護質問と１つまたは複数の第１の回答との間に個々に関連関係を確立するように構成される、関連関係確立モジュールと、をさらに含む。
【００２６】
好ましくは、装置は、パスワードについての修正要求を受信することに応答して、パスワードに対応する１つまたは複数のパスワード保護質問を出力するように構成される、第２のパスワード保護質問出力モジュールと、１つまたは複数のパスワード保護質問に対する１つまたは複数の第２の回答を受信するように構成される、第２の回答受信モジュールと、１つまたは複数の第２の回答が、１つまたは複数のパスワード保護質問に関連付けられた１つまたは複数の第１の回答と同一であるとき、パスワードを修正する許可を設定するように構成される、許可設定モジュールと、をさらに含む。
【００２７】
既存技術と比較して、本出願の実施形態は、以下の利点を有する。
【００２８】
パスワード保護質問（複数可）設定要求に対して、本出願の実施形態は、ユーザ識別子に対応する１つまたは複数の設定情報を抽出することを通じて、１つまたは複数の設定情報に個別に合致する１つまたは複数のパスワード保護質問を取得する。設定情報は、ユーザの嗜好または関心をある程度表すことができるため、パスワード保護質問設定の際に、ユーザの嗜好または関心に関連するパスワード保護質問がユーザに出力され得る。したがって、パスワード保護質問についてのユーザの印象は強固になり、それによって、設定したパスワード保護質問及びその回答をユーザが忘れるという場面が減少し、よってパスワード保護質問の実用性が改善される。
【００２９】
パスワード修正要求に対して、本出願の実施形態は、パスワードに対応するパスワード保護質問を出力し、パスワード保護質問に対する第２の回答が第１の回答と同一であるとき、パスワードの修正が可能となる。パスワード保護質問は、ユーザの嗜好または関心に従って設定され得るため、ユーザは、パスワード保護質問に容易に回答して関連アカウントの所有権を取り戻すことができる。したがって、パスワード保護動作の利便性は大いに改善され、無駄なユーザ情報の発生は減少し、それによって無駄なユーザ情報による記憶リソースの占有が減少する。
【図面の簡単な説明】
【００３０】
【図１】従来のパスワード保護質問設定の概略図である。
【図２】本出願による、第１の例示的なパスワード保護質問設定方法のフローチャートである。
【図３】本出願による、第２の例示的なパスワード保護質問設定方法のフローチャートである。
【図４】本出願による、パスワード保護質問設定方法の概略図である。
【図５】本出願による、第１の例示的なパスワード保護質問設定装置の構造ブロック図である。
【図６】本出願による、第２の例示的なパスワード保護質問設定装置の構造ブロック図である。
【発明を実施するための形態】
【００３１】
本出願の上記目的、特徴及び利点をより明確かつ理解可能にするために、本出願について、添付の図面及び特定の実施態様と併せて、以下さらに詳細に説明する。
【００３２】
インターネットの世界では、ユーザの様々な種類の情報は、概して特定のデータのセットによって表現され、様々な種類のネットワークシステムが、対応する動作許可の申し込みを確認するために、ユーザのデジタルアイデンティティを識別する必要がある。インターネット産業の発展の初期の段階では、パスワードは、ネットワークシステムがネットワークにおいて法的なデジタルアイデンティティの所有者と操作者を識別する（即ち、操作者の物理的アイデンティティがそのデジタルアイデンティティに対応することを保証する）ための中心的要素である。
【００３３】
インターネット産業が新たなレベルに発展した後、ネットワークにおけるユーザのデジタルアイデンティティは、コンピュータシステムの開放性及び相互接続性に起因して、トロイウイルス及びハッカープログラムを用いた違法者による傍受及び乗っ取りが生じやすく、したがって、ユーザの様々な利益が害される。
【００３４】
これに応じて、ネットワークシステムは、ユーザの物理的アイデンティティがそのデジタルアイデンティティと整合することを保証する、強化されたパスワード方法または製品を必要とし、したがって、パスワード保護が出現する。
【００３５】
パスワード保護は、ユーザアイデンティティを記録し、ユーザアイデンティティの識別を担当するセキュリティ製品を指すことがある。
【００３６】
パスワード保護質問は、回答及び質問の形式で、アカウントパスワードのセキュリティ保護に適用され得る。パスワード保護質問は概して、中学校のクラス担任の名前、配偶者の誕生日、大学の学生番号などの、ユーザの私的な個人情報を含むため、それぞれの回答は概してそれを設定するユーザだけが知っており、信頼性の高いパスワード保護である。
【００３７】
図１は、従来のパスワード保護質問設定の概略図を示す。
【００３８】
パスワード保護１０２（例えば、パスワード保護質問）が図１に示すように設定されるときのシナリオでは、ユーザ１０１は、ステップ１０４で、パスワード保護質問（複数可）を設定するための要求を、サービスプラットフォームに送信し得る。ステップ１０５で、サービスプラットフォームは、ユーザ１０１のための３つのパスワード保護質問をランダムに選択して設定し、ステップ１０６において設定成功を示すメッセージを返し得る。その結果、サービスプラットフォームは、パスワード保護質問及び対応する回答を記憶することができる。
【００３９】
パスワードを忘れた、または盗まれたなどの状況では、パスワードが必要となるシナリオ１０３に入る。ステップ１０７で、ユーザ１０１は、パスワードを修正するための要求をサービスプラットフォームに送信し得る。ステップ１０８で、サービスプラットフォームは、３つの予め設定されたパスワード保護質問を読み出し、ユーザが回答するのを待機し得る。
【００４０】
パスワード保護質問は概して、いくつかの特定のシナリオ（例えば、パスワードのリセット）においてのみ使用され、それを使用する確率は比較的低いため、ユーザ１０１はそれぞれの回答を容易に忘れてしまう。パスワード保護質問それ自体も、ユーザ１０１は容易に忘れてしまい、ユーザ１０１は概して、正しい回答を与えることができない。したがって、ステップ１０９で、サービスプラットフォームは概して、パスワード保護質問に対する回答が間違っていることを示すメッセージを返す。このようにして、ユーザ１０１は、パスワードを修正することができない。
【００４１】
従前の方法に従って設定されるパスワード保護質問は、パスワードをうまく保護することができず、実用性に乏しい。従って、本出願の実施形態の中心的概念の１つを提案する。ユーザの嗜好または関心に近いパスワード保護質問は、ユーザの嗜好または関心に基づいて連想される。パスワード保護質問についてのユーザの印象は強化され、パスワード保護質問が必要なときに正しい回答が与えられることを保証する場合があり、その結果、パスワード保護質問は、実際にパスワード保護の役割を果たすことができる。
【００４２】
図２は、本出願による、第１の例示的なパスワード保護質問設定方法のフローチャートを示す。その詳細は、以下のようなステップを含む。
【００４３】
ステップ２０１：パスワードについてのパスワード保護質問設定要求が受信される。
【００４４】
実際のアプリケーションでは、パスワード保護質問設定要求は、あるパスワードのためのパスワード保護質問（複数可）を設定するために、ユーザによって送信される命令であってもよい。
【００４５】
例えば、ユーザは、指定されたウェブページにおいてパスワード保護質問設定要求を提出してもよく、指定されたアプリケーションの制御を通じてパスワード保護質問設定要求を提出してもよく、または他のやり方でパスワード保護質問設定要求を提出してもよい。
【００４６】
パスワード保護質問（複数可）によって保護されるパスワードは、アカウントパスワードまたは個人パスワードのうちの少なくとも１つであり得ることに留意されたい。
【００４７】
アカウントパスワードは、ユーザアカウントにログインするためのパスワードであり得る。個人パスワードは、ユーザアカウントにログイン後、あるサービス対象（複数可）を保護するためのパスワードであり得る。
【００４８】
例えば、個人パスワードは、インスタントメッセージツールにおいてチャット記録を見るためのパスワード、関連するメールボックスにログインするためのパスワード、支払を確認するためのパスワード、または仮想商品を処理する（取引する、破壊する、など）ための保護パスワードなどであってもよく、本出願の実施形態において限定されない。
【００４９】
特定の実施態様では、設定要求は、ユーザ識別子を含んでもよい。ユーザ識別子は、ユーザを判断できる情報を表してもよく、具体的には、ユーザアカウント、ユーザアカウントに関連付けられたユーザ情報（別のユーザアカウント、メールボックス、電話番号、及びタイトル）、ユーザのインターネットプロトコル（ＩＰ）アドレス、クッキー（ＣＯＯＫＩＥ）ＩＤなどを含んでもよい、
【００５０】
ステップ２０２：ユーザ識別子に対応する１つまたは複数の設定情報が読み出される。
【００５１】
設定情報は、データベースにある程度設定されている、ユーザ識別子に対応するユーザの嗜好または関心を表す情報であってもよい。
【００５２】
本出願の好ましい実施形態では、設定情報は、嗜好情報を含んでもよく、設定情報は、以下の手法によって取得されてもよい。
【００５３】
サブステップＳ１１：ユーザ識別子に対応する行動情報が取得される。
【００５４】
サブステップＳ１２：嗜好情報は、行動情報から学習される。
【００５５】
行動情報は、ユーザの操作行動を記録する情報であってもよく、ショッピング、ウェブページの閲覧、及びストリーミングメディアの再生などの、インターネット上の操作行動を含んでもよく、さらに、ゲームのプレイ、電子書籍の閲覧、音声／ビデオ再生などのローカルの操作行動も含んでもよい。
【００５６】
本出願の実施形態では、ユーザの嗜好情報は、ユーザの行動情報を学習することによって取得されてもよい。嗜好情報は、ユーザの嗜好／関心を識別する情報であってもよい。
【００５７】
例えば、あるユーザのショッピングについての行動情報を分析した場合、ユーザは、７５点のワンピースドレス、１０点のシャツ、１０点のフリース、及び５点のダストコートを含む、１００点の衣類を購入していた。ワンピースドレスを購入する頻度は、比較的高く、したがって、ユーザの嗜好情報は、「衣類：ワンピースドレス」と学習され得る。
【００５８】
本出願の実施形態は、ユーザの嗜好情報をオフラインで予め学習し、必要な時に直接検索するために、嗜好情報をデータベースに記憶する。
【００５９】
本出願の実施形態は、また、ユーザの嗜好情報をオンラインでも学習し得ることは明らかであり、本出願の実施形態において限定はされない。
【００６０】
本出願の別の好ましい実施形態では、ステップ２０２は、以下のサブステップをさらに含み得る。
【００６１】
サブステップＳ１３：ユーザ識別子に対応する１つまたは複数の予め設定された設定情報が、予め設定されたデータベースから読み出される。
【００６２】
本出願の実施形態を用いて、ユーザは、ウェブサイト及びコミュニケーションツールなどのシナリオにおいて、予めいくつかの選択肢を設定してもよく、例えば、個人データ、購読情報などを設定し、それはデータベースに記憶される。
【００６３】
設定情報のある部分は、ユーザの嗜好または関心をある程度表し得る。
【００６４】
例えば、「好きなスター」、「好きな色」及び「一番行きたい都市」などの選択肢が、個人データ内に概して存在する。
【００６５】
別の実施例では、情報を購読する際、ユーザは、フットボールクラブ、コミック本、話題（軍事、美容、及び食べ物など）の情報（ニュース、トークショーなど）を購読することを選択し得る。
【００６６】
設定が完了した後、設定情報は、データベースに記憶され、ユーザ識別子に関連付けられ得る。
【００６７】
例えば、ユーザアカウントが「１２３４５６」であるユーザが、「好きなスター」を「張三（Ｚｈａｎｇ  Ｓａｎ）」、「一番行きたい都市」を「北京」としてウェブサイトで設定し、北京フットボールクラブの情報を購読することがある。下記の表に示される記録が、したがってデータベースに記憶され得る。
【００６８】
【表１】
2017534964.tif 000003
【００６９】
本発明の実施形態では、嗜好または関心を表し、ユーザ識別子に関連付けられる１つまたは複数の設定情報は、データベースから検索されてもよく、１つまたは複数の設定情報が読み出される。
【００７０】
ステップ２０３：１つまたは複数の設定情報に合致する１つまたは複数のパスワード保護質問が、個々に取得される。
【００７１】
特定の実施態様では、嗜好または関心を表す１つまたは複数の設定情報に合致する１つまたは複数のパスワード保護質問を取得することによって、パスワード保護質問についてのユーザの印象を強固にすることができる。
【００７２】
本出願の好ましい実施形態では、ステップ２０３は、以下のサブステップをさらに含み得る。
【００７３】
サブステップＳ２１：予め設定された質問バンクが、１つまたは複数の設定情報を含む１つまたは複数のパスワード保護質問を求めて検索される。
【００７４】
本発明の実施形態を用いて、質問バンクは予め設定されてもよい。質問バンクは、例えば、「一番行くのが好きな場所はどこですか」、「あなたの好きなスターは誰ですか」などの、いくつかの基本的なパスワード保護質問を含む。
【００７５】
本発明の実施形態では、質問バンク内のパスワード保護質問が、設定情報を含むかどうかに関する比較が行われてもよく、含む場合に、パスワード保護質問が読み出される。
【００７６】
例えば、データベースを照会することによって見つかった、ユーザアカウントが「１２３４５６」のユーザの設定情報から、ユーザの「好きなスター」は「張三」である。質問バンクは、文字列「好きなスター」に基づいて、「好きなスター」を含むヘッダを有するパスワード保護質問（複数可）を求めて検索される。パスワード保護質問「あなたの好きなスターは誰ですか」に対して比較が行われると、パスワード保護質問が「好きなスター」の文字列も含むことが分かる。このようにして、「あなたの好きなスターは誰ですか」が、カレントユーザのパスワード保護質問として使用される。
【００７７】
本出願の好ましい実施形態では、ステップ２０３は、以下のサブステップをさらに含み得る。
【００７８】
サブステップＳ３１：予め設定された質問バンクは、１つまたは複数の設定情報の同一の意味論上の意味（複数可）を有する１つまたは複数のパスワード保護質問を求めて検索される。
【００７９】
サブステップＳ３２：１つまたは複数の設定情報がカテゴリ情報に合致するかどうかについての判断が個々に行われる。合致する場合に、サブステップＳ３３が実行される。
【００８０】
サブステップＳ３３：パスワード保護質問が読み出される。
【００８１】
本発明の実施形態を使用して、質問バンクは、予め設定され得る。質問バンクは、いくつかの基本的なパスワード保護質問を含み、各保護質問は、対応するカテゴリ情報を有してもよい。例えば、パスワード保護質問「一番行くのが好きな場所はどこですか」のカテゴリは地理、パスワード保護質問「あなたの好きなスターは誰ですか」のカテゴリはエンタテイメント、などである。
【００８２】
本発明の実施形態では、設定情報を含むパスワード保護質問が質問バンクに見つからないなどの状況では、設定情報と同一の意味論上の意味を有するパスワード保護質問が検索されてもよく、設定情報がパスワード保護質問のカテゴリ情報に合致するかどうかについて、判断が行われる。合致する場合、パスワード保護質問が抽出される。
【００８３】
特定の実施態様では、嗜好情報とパスワード保護質問との意味論上の類似度が計算されてもよい。意味論上の類似度が閾値を上回る場合、嗜好情報及びパスワード保護質問は、同一の意味論上の意味を有すると考えられ得る。
【００８４】
意味論上の類似度を計算するために、２種類の手法が主に存在する。１つの種類の手法は、計算のために、関連する用語の概念を意味論上の辞書（複数可）を通じて木構造に編成することである。別の種類の手法は、用語のコンテキスト情報を通じて、統計的手法を用いて解を得ることである。
【００８５】
例えば、データベースの照会から見つかった、ユーザアカウントが「１２３４５６」であるユーザの設定情報の中から、ユーザの「一番行きたい都市」は「北京」である。ヘッダに「一番行きたい都市」を含むパスワード保護質問は、文字列「一番行きたい都市」による質問バンクの照会では見つからない。パスワード保護質問「一番行きたい場所はどこですか」との比較が行われると、そのパスワード保護質問が、「一番行きたい都市」と一致する意味論上の意味を有することが分かる。「一番行きたい場所はどこですか」のカテゴリは地理であり、「一番行きたい都市」もまた、地理のカテゴリに属する。したがって、「一番行きたい場所はどこですか」は、カレントユーザのためのパスワード保護質問として読み出され得る。
【００８６】
本出願の好ましい実施形態では、ステップ２０３は、以下のサブステップをさらに含み得る。
【００８７】
サブステップＳ４１：１つまたは複数のパスワード保護質問が、１つまたは複数の設定情報から生成される。
【００８８】
本発明の実施形態では、設定情報を含むパスワード保護質問、または設定情報と同一の意味論上の意味を有するパスワード保護質問が、質問バンクに見つからないなどの状況では、パスワード保護質問が、設定情報を用いて生成されてもよい。
【００８９】
例えば、データベースを照会することによって見つかった、ユーザアカウントが「１２３４５６」のユーザの設定情報から、ユーザによって購読されている情報は、「北京フットボールクラブ」である。文字列「北京フットボールクラブ」に従って質問バンクを照会しても、ヘッダが「一番行きたい都市」を含むパスワード保護質問も、「北京フットボールクラブ」と同一の意味論上の意味を有するパスワード保護質問も見つからない。設定情報の「北京フットボールクラブ」の中の文字列「フットボールクラブ」が抽出され、「一番好きな」及び「どれですか」という文字列が追加されて、「一番好きなフットボールクラブはどれですか」というパスワード保護質問を生成してもよい。
【００９０】
別の実施例として、嗜好情報について、「衣類：ワンピースドレス」は、衣類の中でユーザが好むカテゴリが、ワンピースドレスであるということを示している。文字列「衣類」が抽出され、「一番好きな」及び「何ですか」という文字列が追加されて、「一番好きな衣類は何ですか」というパスワード保護質問を生成する。
【００９１】
異なるカテゴリの設定情報は、異なる生成ルールを有してもよく、当業者は、実際の状況に従って設定を実行してもよいことに留意されたい。
【００９２】
ステップ２０４：１つまたは複数のパスワード保護質問が出力される。
【００９３】
特定の実施態様では、パスワード保護質問は、パスワード保護質問設定要求が提出されるオブジェクトに表示用に出力されて、ユーザが対応する回答を選択及び設定できるようにしてもよい。
【００９４】
例えば、ユーザが、指定されたウェブページでパスワード保護質問設定要求を提出する場合、１つまたは複数のパスワード保護質問が、その指定されたウェブページに表示用に出力されてもよい。ユーザが、指定されたアプリケーションの制御を通じてパスワード保護質問設定要求を提出する場合、１つまたは複数のパスワード保護質問が、そのアプリケーションの指定されたインターフェースに表示用に出力されてもよい。ユーザが、他のやり方でパスワード保護質問設定要求を提出する場合、パスワード保護質問は、対応するオブジェクトに表示用に出力されてもよい。
【００９５】
パスワード保護質問設定要求に対し、ユーザ識別子に対応する１つまたは複数の設定情報を読み出すことによって、本出願の実施形態は、１つまたは複数の設定情報に個々に合致する１つまたは複数のパスワード保護質問を取得する。設定情報は、ユーザの嗜好または関心をある程度表すことができるため、ユーザがパスワード保護質問を設定するとき、ユーザの嗜好または関心に関連するパスワード保護質問が出力され得る。それがパスワード保護質問についてのユーザの印象を強固にし、それによって、設定したパスワード保護質問及びその回答をユーザが忘れるという場面が減少し、パスワード保護質問の実用性が改善される。
【００９６】
図３は、本出願による、第２の例示的なパスワード保護質問設定方法のフローチャートを示す。その詳細は、具体的には以下のステップを含んでもよい。
【００９７】
ステップ３０１：パスワードについてのパスワード保護質問設定要求が受信され、設定要求がユーザ識別子を含む。
【００９８】
ステップ３０２：ユーザ識別子に対応する１つまたは複数の設定情報が読み出される。
【００９９】
ステップ３０３：１つまたは複数の設定情報に合致する１つまたは複数のパスワード保護質問が、個別に取得される。
【０１００】
ステップ３０４：１つまたは複数のパスワード保護質問が出力される。
【０１０１】
ステップ３０５：１つまたは複数のパスワード保護質問に対する１つまたは複数の第１の回答が受信される。
【０１０２】
ステップ３０６：１つまたは複数のパスワード保護質問と１つまたは複数の第１の回答との間に関連関係がそれぞれ確立される。
【０１０３】
本発明の実施形態では、ユーザは、出力されているパスワード保護質問の全てまたはいくつかに対し、第１の回答（複数可）を設定し得る。第１の回答（複数可）が、バックエンドで受信され、パスワードがリセットされるなどの状況でアイデンティティ情報を検証するために、第１の回答（複数可）とそれぞれのパスワード保護質問（複数可）との間の関連関係（複数可）が、確立されてデータベースに記憶される。
【０１０４】
例えば、３つのパスワード保護質問、即ち、「あなたの好きなスターは誰ですか」、「一番行きたい場所はどこですか」、及び「一番好きなフットボールクラブはどれですか」が、ユーザアカウントが「１２３４５６」であるユーザに提供される。ユーザは、その全てに対して対応する回答、即ち、「張三」、「北京」、及び「北京フットボールクラブ」を設定し、下記の表に示されるように、それらの間の関連関係が確立され得る。
【０１０５】
【表２】
2017534964.tif 000004
【０１０６】
ステップ３０７：パスワードについての修正要求が受信されると、パスワードに対応する１つまたは複数のパスワード保護質問が出力される。
【０１０７】
ステップ３０８：１つまたは複数のパスワード保護質問に対する１つまたは複数の第２の回答が受信される。
【０１０８】
ステップ３０９：１つまたは複数の第２の回答が、１つまたは複数のパスワード保護質問に関連付けられた１つまたは複数の第１の回答と同一であるとき、パスワード修正の許可が設定される。
【０１０９】
本発明の実施形態では、パスワード修正要求は、パスワードを修正するためのユーザからの命令を指すことがある。
【０１１０】
パスワードを忘れた、またはパスワードが盗まれた、などの状況で、ユーザは、パスワードをリセットするために、パスワードを修正するための要求を送信し得る。この時点で、カレントユーザのアイデンティティは、ユーザが、パスワードが属するデジタルアイデンティティを所有する正当な所有者かどうかを判断するために検証される必要がある。その検証が成功の場合、カレントユーザが、パスワードを修正する許可を有するとの判断が行われ、ユーザはパスワードを修正することが可能となる。
【０１１１】
例えば、カレントユーザが、ユーザアカウント「１２３４５６」に関連付けられたパスワードを修正するための要求を送信する。次いで、ユーザアカウント「１２３４５６」のパスワードに対応する１つまたは複数のパスワード保護質問を求めてデータベースが検索され得る。そして、１つまたは複数のパスワード保護質問は、下記の表に示すように、表示用に出力される。
【０１１２】
【表３】
2017534964.tif 000005
【０１１３】
ユーザが、上記の表に示される回答列に、第２の回答「張三」、「北京」、及び「北京フットボールクラブ」をそれぞれ入力すると、第２の回答が、パスワード保護質問に関連付けられた第１の回答と同一であるとの判断に基づいて、カレントユーザは、パスワードを修正することが可能となる。
【０１１４】
パスワード修正要求について、本出願の実施形態は、パスワードに対応するパスワード保護質問（複数可）を出力し、パスワード保護質問（複数可）についての第２の回答（複数可）が第１の回答（複数可）と同一であることに応答して、パスワードの修正を可能にする。パスワード保護質問は、ユーザの嗜好または関心に従って設定され得るため、ユーザは、パスワード保護質問に容易に回答して関連アカウントの所有権を取り戻すことができる。したがって、パスワード保護の動作の利便性は大いに改善され、無駄なユーザ情報の発生は減少し、それによって、無駄なユーザ情報による記憶リソースの占有は減少する。
【０１１５】
当業者が本出願の実施形態をよりよく理解できるようにするために、本出願の実施形態におけるパスワード保護質問設定方法について、特定の実施例を通じて以下で説明する。
【０１１６】
図４は、本出願による、パスワード保護質問の設定の概略図を示す。
【０１１７】
図４に示すように、パスワード保護４０２（例えば、パスワード保護質問）が設定されるシナリオでは、ユーザ４０１は、ステップ４０５で、パスワード保護質問設定要求をサービスプラットフォームに送信してもよい。ステップ４０６において、サービスプラットフォームは、ユーザの嗜好または関心４０３を表す設定情報に従って、３つのパスワード保護質問を選択し、ステップ４０７で、３つのパスワード保護質問を返してもよい。３つのパスワード保護質問は、ステップ４０８で、ユーザ４０１が設定するために表示される。設定が成功した後、ステップ４０９で、設定成功を示すメッセージが返され、その結果、サービスプラットフォームは、パスワード保護質問と対応する回答との間に関連関係を確立し、関連関係をデータベースに記憶することができる。
【０１１８】
パスワードを忘れた、または盗まれたなどの状況では、パスワードが必要となるシナリオ４０４に入る。ステップ４１０で、ユーザ４０１は、パスワードの修正要求をサービスプラットフォームに送信してもよい。ステップ４１１で、サービスプラットフォームは、３つの予め設定されたパスワード保護質問を読み出し、ユーザが回答するのを待機してもよい。
【０１１９】
パスワード保護質問は、ユーザの嗜好または関心に従い、かつユーザ自身の情報に関連して設定されている質問であるため、ユーザ１０１がめったに使用しないとしても、その回答をユーザ１０１が容易に忘れることはない。ユーザは、正しい回答を容易に与えることができる。したがって、ステップ４１２で、サービスプラットフォームは概して、パスワード保護質問に対する回答が正しいことを示すメッセージを返し、ユーザ４０１がパスワードを修正することを可能にする。
【０１２０】
この実施例では、ユーザの嗜好または関心に近いパスワード保護質問は、ユーザの嗜好または関心に従って連想され、パスワード保護質問についてのユーザの印象が強化されてパスワード保護質問が必要なときに正しい回答が与えられ得ることを保証し得る。その結果、パスワード保護質問は、パスワード保護の実際の役割を果たすことができる。
【０１２１】
方法の実施形態は、説明を容易にするために、一連の動作の組み合わせとして説明されることに留意されたい。一方、本出願の実施形態に従って、あるステップは、他の順序で実行されてもよく、または並行して実行されてもよいため、本出願の実施形態は、本明細書で説明された動作の順序に限定されないことを、当業者は知るべきである。さらに、明細書に記載された実施形態は、全て好ましい実施形態であり、そこに含まれる動作は、本出願の実施形態に必須でなくともよいことを、当業者は知るべきである。
【０１２２】
図５は、本出願の第１の例示的なパスワード保護質問設定装置の構造ブロック図を示す。第１の例示的なパスワード保護質問設定装置は、具体的には次のモジュール、パスワードについてのパスワード保護質問設定要求を受信するように構成される設定要求受信モジュール５０１であって、設定要求がユーザ識別子を含む、設定要求受信モジュール５０１と、ユーザ識別子に対応する１つまたは複数の設定情報を抽出するように構成される、設定情報抽出モジュール５０２と、１つまたは複数の設定情報に個別に合致する１つまたは複数のパスワード保護質問を取得するように構成される、パスワード保護質問取得モジュール５０３と、１つまたは複数のパスワード保護質問を出力するように構成される、第１のパスワード保護質問出力モジュール５０４と、を含み得る。
【０１２３】
本出願の好ましい実施形態では、設定情報は、嗜好情報を含んでもよく、設定情報は、ユーザ識別子に対応する行動情報を取得することと、行動情報から嗜好情報を学習することと、によって取得されてもよい。
【０１２４】
本出願の好ましい実施形態では、嗜好情報質問計算モジュール５０２は、次のサブモジュール、ユーザ識別子に対応する１つまたは複数の予め設定された設定情報を、予め設定されたデータベースから読み出すように構成される、データベース抽出サブモジュールを含み得る。
【０１２５】
本出願の好ましい実施形態では、パスワード保護質問取得モジュール５０３は、次のサブモジュール、１つまたは複数の設定情報を含む１つまたは複数のパスワード保護質問を求めて、予め設定された質問バンクを検索するように構成される、第１の検索サブモジュールを含み得る。
【０１２６】
本出願の好ましい実施形態では、パスワード保護質問取得モジュール５０３は、次のサブモジュール、それぞれの意味論上の意味が１つまたは複数の設定情報に一致している、１つまたは複数のパスワード保護質問を求めて、予め設定された質問バンクを検索するように構成される、第２の検索サブモジュールであって、各保護質問が、対応するカテゴリ情報を有する、第２の検索サブモジュールと、１つまたは複数の設定情報が、カテゴリ情報に合致するかどうかを個々に判断し、合致する場合に、パスワード保護質問抽出サブモジュールを呼び出すように構成される、合致判断サブモジュールと、パスワード保護質問を読み出すように構成されるパスワード保護質問抽出サブモジュールと、を含み得る。
【０１２７】
本出願の好ましい実施形態では、パスワード保護質問取得モジュール５０３は、次のサブモジュール、１つまたは複数の設定情報を使用して、１つまたは複数のパスワード保護質問を生成するように構成される、パスワード保護質問生成サブモジュールを含み得る。
【０１２８】
図６は、本出願の第２の例示的なパスワード保護質問設定装置の構造ブロック図を示す。第２の例示的なパスワード保護質問設定装置は、具体的には次のモジュール、パスワードについてのパスワード保護質問設定要求を受信するように構成される設定要求受信モジュール６０１であって、設定要求がユーザ識別子を含む、設定要求受信モジュール６０１と、ユーザ識別子に対応する１つまたは複数の設定情報を抽出するように構成される、設定情報抽出モジュール６０２と、１つまたは複数の設定情報に個々に合致する１つまたは複数のパスワード保護質問を取得するように構成される、パスワード保護質問取得モジュール６０３と、１つまたは複数のパスワード保護質問を出力するように構成される、第１のパスワード保護質問出力モジュール６０４と、１つまたは複数のパスワード保護質問に対する１つまたは複数の第１の回答を受信するように構成される、第１の回答受信モジュール６０５と、１つまたは複数のパスワード保護質問と１つまたは複数の第１の回答との間にそれぞれ関連関係を確立するように構成される、関連関係確立モジュール６０６と、パスワードについての修正要求を受信することに応答して、パスワードに対応する１つまたは複数のパスワード保護質問を出力するように構成される、第２のパスワード保護質問出力モジュール６０７と、１つまたは複数のパスワード保護質問に対する１つまたは複数の第２の回答を受信するように構成される、第２の回答受信モジュール６０８と、１つまたは複数の第２の回答が、１つまたは複数のパスワード保護質問に関連付けられた１つまたは複数の第１の回答に一致しているとき、パスワードを修正する許可を設定するように構成される、許可設定モジュール６０９と、を含み得る。
【０１２９】
装置の実施形態は、基本的に方法の実施形態と同様であるため、その説明は比較的簡単である。関連する部分は、方法の実施形態におけるそれぞれの部分の説明を参照可能である。
【０１３０】
この明細書の実施形態は、進行形で全て記載されている。各実施形態では、他の実施形態と異なる領域に重点を置いている。実施形態間の同一または類似の部分は、互いに相互参照され得る。
【０１３１】
本出願の実施形態における実施形態は、方法、装置、またはコンピュータプログラム製品として提供され得ることを、当業者は理解すべきである。したがって、本出願の実施形態は、完全なハードウェア実施形態、完全なソフトウェア実施形態、または、ソフトウェア及びハードウェアを組み合わせた実施形態として実装され得る。さらに、本出願の実施形態は、コンピュータ使用可能なプログラムコードを含む、１つまたは複数のコンピュータ使用可能な記憶媒体（磁気ディスク記憶装置、ＣＤ−ＲＯＭ、光学記憶装置などを含むが、これらに限定されない）上に実装されたコンピュータプログラム製品の形態であり得る。
【０１３２】
典型的な構成では、コンピュータは、１つまたは複数のプロセッサ（ＣＰＵ）、入力／出力インターフェース、ネットワークインターフェース、及びメモリを含む。メモリは、例えば、読み取り専用メモリ（ＲＯＭ）またはフラッシュＲＡＭなどのコンピュータ可読媒体のうち、揮発性メモリ、ランダムアクセスメモリ（ＲＡＭ）、及び／または不揮発性メモリなどを含み得る。メモリは、コンピュータ可読媒体の一実施例である。コンピュータ可読媒体は、不揮発性媒体及び揮発性媒体、可動媒体及び非可動媒体を含み、任意の方法または技術によって情報記憶を実装できる。情報は、コンピュータ可読命令、データ構造、及びプログラムまたはその他のデータのモジュールであってもよい。コンピュータ記憶媒体は、例えば、相変化メモリ（ＰＲＡＭ）、スタティックランダムアクセスメモリ（ＳＲＡＭ）、ダイナミックランダムアクセスメモリ（ＤＲＡＭ）、その他の種類のＲＡＭ、ＲＯＭ、電気的消去可能なプログラマブルＲＯＭ（ＥＥＰＲＯＭ）、フラッシュメモリ、もしくはその他のメモリ技術、コンパクトディスクＲＯＭ（ＣＤ−ＲＯＭ）、デジタル多用途ディスク（ＤＶＤ）、もしくはその他の光記憶装置、カセットテープ、磁気テープ／磁気ディスク記憶装置、もしくはその他の磁気記憶デバイス、または任意のその他の非伝送媒体を含むが、これらに限定されない。コンピュータ記憶媒体は、コンピューティングデバイスにアクセス可能な情報を記憶するために使用できる。本明細書で定義されるように、コンピュータ可読媒体は、変調データ信号及び搬送波などの、一時的媒体を含まない。
【０１３３】
本出願の実施形態は、本出願の例示的な方法、端末デバイス（システム）、及びコンピュータプログラム製品のフローチャート及び／またはブロック図に従って説明されている。フローチャート及び／またはブロック図の、各プロセス及び／またはブロック、ならびにプロセス及び／またはブロックの組み合わせは、コンピュータプログラム命令によって実装され得ると理解されたい。このようなプログラム命令は、汎用コンピュータ、専用コンピュータ、組み込みプロセッサ、またはプログラマブルデータ処理端末デバイスを有するその他の処理デバイスに提供されてマシンを生成してもよい。したがって、フローチャートの１つもしくは複数のプロセス内に記載された１つもしくは複数のブロック、及び／またはブロック図の１つもしくは複数のブロックで示される機能を有する装置は、コンピュータまたはプログラマブルデータ処理端末デバイスを有するその他の処理デバイスによって命令を実行することにより、実装され得る。
【０１３４】
このようなコンピュータプログラム命令はまた、コンピュータまたは別のプログラマブルデータ処理端末デバイスを特定のやり方で機能させ得る、コンピュータ可読メモリデバイスに記憶され得る。したがって、命令装置を含む製品は、コンピュータ可読メモリデバイスに記憶された命令に基づいて構築され得る。その命令デバイスは、フローチャートの１つもしくは複数のプロセス、及び／またはブロック図の１つもしくは複数のブロックによって示される機能を実装する。
【０１３５】
コンピュータプログラム命令はまた、コンピュータまたは別のプログラマブルデータ処理端末デバイスにロードされ得る。したがって、一連の動作は、コンピュータまたはその他のデータ処理端末デバイスによって実行されて、コンピュータ実装されたプロセスを生成し得る。したがって、コンピュータまたはその他のプログラマブル端末デバイスによって実行される命令は、フローチャートの１つもしくは複数のプロセス、及び／またはブロック図の１つもしくは複数のブロックを実装するために使用され得る。
【０１３６】
本出願の実施形態のうち好ましい実施形態について説明したが、当業者は、基本的な創作的思想を理解することに基づいて、実施形態にさらなる変更及び修正を行うことが可能である。したがって、添付の特許請求の範囲は、好ましい実施形態、ならびに本出願の実施形態の範囲内に入る全ての変更及び修正を含むものとして説明されることを意図するものである。
【０１３７】
最後に、本明細書に記載される「第１の」及び「第２の」などの関係を示す用語は、１つのエンティティまたは動作を別のエンティティまたは動作と区別するためのみに使用され、実際にそれらのエンティティ間または動作間にそのような関係性もしくは順序が存在することを、必ずしも要求または意味しないことに留意されたい。さらに、「ｃｏｍｐｒｉｓｅ（備える）」、「ｉｎｃｌｕｄｅ（含む）」などの用語、及びそれらの任意の他の変形は、非排他的な包含を含むことが意図される。一連の要素を含むプロセス、方法、製品、または端末デバイスは、それらの要素だけでなく明示的に列挙されていない他の要素も含むか、またはそのようなプロセス、方法、製品、もしくは端末デバイス内に既に存在する要素をさらに含む。さらなる制限がない状態では、「ｉｎｃｌｕｄｅ  ａ／ａｎ  ．．．（１つの．．．を含む）」という句によって定義される要素は、プロセス、方法、製品、または端末デバイス内に存在するいかなる他の類似の要素も除外するものではない。
【０１３８】
本出願によって提供されるパスワード保護質問設定方法及びパスワード保護質問設定装置について、上記に詳細に説明した。特定の実施例が、本開示の原理及び実施態様を例示する本開示において使用されている。前述の実施形態は、単に、本出願の方法及び対応する中心的概念の理解を容易にするために使用される。当業者は、本出願の概念に基づいて、出願の特定の実施態様及び範囲に変更を加えてもよい。このことから、本出願の内容は、本出願を限定するものとして解釈されるべきではない。
【図１】
2017534964.tif 000006
【図２】
2017534964.tif 000007
【図３】
2017534964.tif 000008
【図４】
2017534964.tif 000009
【図５】
2017534964.tif 000010
【図６】
2017534964.tif 000011
【手続補正書】
【提出日】平成29年5月23日(2017.5.23)
【手続補正１】
【補正対象書類名】明細書
【補正対象項目名】０１２４
【補正方法】変更
【補正の内容】
【０１２４】
本出願の好ましい実施形態では、設定情報抽出モジュール５０２は、次のサブモジュール、ユーザ識別子に対応する１つまたは複数の予め設定された設定情報を、予め設定されたデータベースから読み出すように構成される、データベース抽出サブモジュールを含み得る。
【国際調査報告】
2017534964.tif 000012
2017534964.tif 000013
2017534964.tif 000014
2017534964.tif 000015